(57)【要約】【課題】携帯電話機に監視カメラの動作を遠隔的に制御する機能を持たせることにより、簡易な操作により監視対象物を確実且つ適切に防犯できるようにすることを課題とする。【解決手段】画像表示機能を有する携帯電話機と、監視対象物を監視すべく監視対象区域に設置される監視カメラと、該監視カメラにより撮影した画像を通信回線を介して前記携帯電話機に転送可能な制御装置とを備え、前記携帯電話機の操作により前記制御装置を介して前記監視カメラの動作、特にズーム機能を遠隔制御可能に構成されている。【選択図】図１
0003126442.tif 000002
【実用新案登録請求の範囲】
【請求項１】
画像表示機能を有する携帯電話機と、監視対象物を監視すべく監視対象区域に設置される監視カメラと、該監視カメラにより撮影した画像を通信回線を介して前記携帯電話機に転送可能な制御装置とを備え、
前記携帯電話機の操作により前記制御装置を介して前記監視カメラの動作、特にズーム機能を遠隔制御可能に構成されてなることを特徴とする防犯システム。
【請求項２】
前記制御装置は、さらに異常検知センサに繋がれ、前記異常検知センサが動作した場合に前記異常検知センサが備えられた監視対象区域に設置された監視カメラが撮影した画像を電子メールに添付して前記携帯電話機に送信するように構成されてなることを特徴とする請求項１記載の防犯システム。
【考案の詳細な説明】
【技術分野】
【０００１】
本考案は防犯システム、さらに詳しくは監視区域の状況を遠方から携帯電話機により監視することができる防犯システムに関する。
【背景技術】
【０００２】
一般に、絵画、骨董品、貴金属等の物品は高価なものが多いため、これらの物品を店内や展示会場等に陳列、展示する場合は、盗難防止対策が講じられることが多くなっている。その一例として従来、次に示すような防犯システムが存在する。
【特許文献１】特開２０００−５９７６５号公報（第２頁、図１）。
【０００３】
即ち、この従来の防犯システムは、監視対象区域に複数の監視カメラを設置し、該監視カメラで撮影した物品等の画像データをメモリに保存しておき、これを要求に応じてテレビジョン装置付携帯端末に転送することにより、監視対象区域内にある物品の状況を監視できるようにしたものである。
【考案の開示】
【考案が解決しようとする課題】
【０００４】
しかしながら、上記従来の防犯システムは、携帯端末自体に監視カメラの動作を制御する機能、即ち該監視カメラをパン、チルト、ズーム等の動作をさせる機能を一切有しない。従って、例えば、監視対象たる物品の数が多い場合や、詳細に物品の状況を確認したいような場合には、多数の監視カメラを設置する必要が生じ、その結果設置費用や運用費用が大幅に嵩んでしまうという実用上の問題点があった。
【０００５】
また、例えば監視対象区域である室内のレイアウトに変更があったような場合には、物品の配置に応じて改めて監視カメラを設置しなおす必要が生じてしまい、大変手間のかかる作業を要するという難点も有していた。
【０００６】
本考案は、かかる問題点を解消すべくなされたものであり、携帯電話機に監視カメラの動作を遠隔的に制御する機能を持たせることにより、簡易な操作により監視対象物を確実且つ適切に防犯できるようにすることを目的とする。
【課題を解決するための手段】
【０００７】
請求項１に記載の防犯システムは、画像表示機能を有する携帯電話機と、監視対象物を監視すべく監視対象区域に設置される監視カメラと、該監視カメラにより撮影した画像を通信回線を介して前記携帯電話機に転送可能な制御装置とを備え、
前記携帯電話機の操作により前記制御装置を介して前記監視カメラの動作、特にズーム機能を遠隔制御可能に構成されてなることを特徴とする。
【０００８】
請求項１に記載の考案にあっては、携帯電話機を通信回線を介して制御装置に接続し、撮影画像の転送要求をすれば、携帯電話機の画面にこの撮影画像が表示される。この画像に基づき必要に応じて携帯電話機を操作することにより、監視カメラの動作、特にズーム機能を遠隔制御して所望の詳細な画像を携帯電話機に表示させることができる。
【０００９】
請求項２に記載の防犯システムは、請求項１に記載の防犯システにおいて、前記制御装置は、さらに異常検知センサに繋がれ、前記異常検知センサが動作した場合に前記異常検知センサが備えられた監視対象区域に設置された監視カメラが撮影した画像を電子メールに添付して前記携帯電話機に送信するように構成されてなることを特徴とする。
【００１０】
請求項２に記載の考案にあっては、監視対象物の異常をセンサが検知すると、これに連動して、前記制御装置がその旨の電子メールと共に、前記監視カメラが撮影した画像が携帯電話機に送信されることになる。
【考案の効果】
【００１１】
請求項１に記載の防犯システムは、携帯電話機の操作により制御装置を介して監視カメラの動作を遠隔制御可能に構成してなるために、監視カメラ一台当たりの監視可能な監視区域が広範なものとなる結果、監視カメラの設置台数の削減に大いに寄与し得るばかりではなく、監視対象区域や監視対象物等に変更があった場合も柔軟に対処できて、確実且つ適切な防犯が行えるという実用的な効果が得られた。
【００１２】
また、請求項２に記載の防犯システムは、請求項１に記載の防犯システムにおいて、前記制御装置は、さらに異常検知センサに繋がれ、前記異常検知センサが動作した場合に前記異常検知センサが備えられた監視対象区域に設置された監視カメラが撮影した画像を電子メールに添付して前記携帯電話機に送信するように構成されているので、監視対象物の異常を迅速に認識することが可能となり、早期対処による防犯の便に供するという効果を奏する。
【考案を実施するための最良の形態】
【００１３】
図１は本考案に係る防犯システムの一実施形態を示すブロック図であり、図中１は監視対象区域に設置した複数の監視カメラを示す。２はセンサであり、図２及び図３のようにフレキシブルプリント配線板３に押圧により電気抵抗値が変化する導電性エラストマー層４を設けた複数個の感圧センサ２ａを薄型基材５上に配設し、この各感圧センサ２ａを電気的に並列に接続した所謂感圧センサマットからなる。かかるセンサ２上に骨董品等の被監視物Ａが載置されている。
【００１４】
６は制御装置であり、画像記録部７、ネットワークインターフェース部８及び制御部９等により構成されている。画像記録部７は監視カメラ１で撮影した画像等のデータを保存するものであり、例えばハードディスクドライブや半導体メモリ等からなる。また、ネットワークインターフェース部８はインターネット９を介してデータ送受信を行う。さらに制御部９は前記監視カメラ１、センサ２、画像記録部７及びネットワークインターフェース部８の動作を制御するものである。
【００１５】
１０は携帯電話機を示し、無線基地局１１及びインターネット９を介して前記ネットワークインターフェース部８間で各種データを送受信できるように構成されている。
【００１６】
本実施形態は以上のような構成からなり、次にかかる防犯システムを使用して監視対象物Ａの防犯を行う場合について説明する。例えば監視対象物Ａが盗難にあう等の異常事態が発生すると、これをセンサ２が検知し、該センサ２は制御装置６の制御部９に検知信号を出力して通知する。そして、かかる検知信号を受けて制御部９は、予め登録されていた所定の携帯電話機１０に異常事態が発生した旨の電子メールと、これに添付して、制御装置６の画像記憶部７に格納された所定の画像データとを、ネットワークインターフェース部８、インターネット９及び無線基地局１１を介して送信する。
【００１７】
これらのデータを受信した携帯電話機１０の所有者は、このデータに基づいて監視対象物Ａに異常が発生したことを早期に認識することができる。また、受信した画像データを携帯電話機１０の有する機能を利用して拡大等して確認することも可能である。
【００１８】
さらに、監視対象区域の状況について詳細に確認したい場合は、先ず携帯電話機１０にアドレスを入力すると、無線基地局１１及びインターネット９を介して制御装置６のネットワークインターフェース部８に接続され、携帯電話機１０に認証画面が表示される。これに予め登録しておいたユーザ名、パスワード等を入力すると、携帯電話機１０の画面に監視地域の画像が表示されることになる。
【００１９】
ここで所有者は、携帯電話機１０の各ボタンを操作することによって各監視カメラ１を防犯を行うことができる。具体的には、先ず数字のボタンを押下してその数字に対応する所望の監視カメラ１を選択し、ボタン「＃」を押下して決定する。さらに、ボタン「４」、「６」で左右にパンし、ボタン「２」、「８」で上下にチルトし、「＃」でズームアップし、「＊」でズームバックするように設定されており、適宜ボタン操作により防犯を行うのである。
【００２０】
このようにして、携帯電話機１０の操作により監視区域内にある監視対象物Ａについての具体的な状況をさらに確実且つ正確に確認することができるために、その後の処置を迅速且つ的確に採ることが可能となり、盗難事件等の早期解決に大いに寄与し得るのである。
【００２１】
また、このように携帯電話機１０の操作により監視カメラ１の動作を制御することによって防犯を行えるので、例えば監視対象物Ａの数が多い場合や、詳細に監視対象区域の状況を確認したい場合において、多数の監視カメラ１を設置する必要がなくなり、設置費用及び運用費用等を大幅に削減できるという実用上の利点がある。
【００２２】
さらに、例えば監視対象区域である室内のレイアウトや監視対象物Ａの配置に変更があったような場合、その変更に応じて各監視カメラ１を設置しなおすいう手間もなくなり、一連の作業を簡易なものにできる。
【００２３】
また、センサ２は薄型基材５上に複数個の感圧センサ２ａを配設したものであるために、高い信頼性を確保できて確実な検知が可能になると共に、薄型構造であるために、その取扱いも容易に行うことが可能であり、監視対象物Ａのセンサとしては最適なものである。
【００２４】
尚、上記実施形態においては、センサ２による監視対象物Ａの異常事態の発生を検知して、これに基づいて携帯電話機１０に画像データを添付して電子メールを送信したが、本考案にあっては必ずしもこのように構成する必要はなく、かかる機能は必要に応じて設ければよく、省略しても構わない。
【００２５】
その他、携帯電話機１０から制御装置６に接続するための認証方法や該制御装置６の具体的な構成も、本考案の意図する範囲内において任意に設計変更自在である。
【図面の簡単な説明】
【００２６】
【図１】本考案の防犯システムの一実施形態を示すブロック図である。
【図２】同実施形態のセンサの平面図である。
【図３】同実施形態のセンサの断面図である。
【符号の説明】
【００２７】
１      監視カメラ
２      センサ
２ａ    感圧センサ
３      フレキシブルプリント配線板
４      導電性エラストマー層
１０    携帯電話機
【図１】
0003126442.tif 000003
【図２】
0003126442.tif 000004
【図３】
0003126442.tif 000005